(57)【要約】【課題】取付部品と本体の係合解除の状態を極めて簡単な操作で保持することができるようにし、取付部品の取り外し作業を容易に行なうことができる部品取付構造を提供する。【解決手段】係合穴を設けた本体と、連結部を介して開口部に至る１組の切り溝、およびこの切り溝間に形成され、本体の係合穴へ係止する爪部を有する弾性フックを設けた取付部品とを備え、取付部品が本体へ取り付けられた状態で弾性フックの後部を押圧すると、連結部が捩れて弾性フックの前部が起き上がり、弾性フックの爪部と本体の係合穴との係合が解除され、取付部品を本体から取り外せるように構成した部品取付構造において、弾性フック１９の後部に、押圧操作にもとづき凸形状または凹形状に湾曲して変形する弾性変形部２１を設ける。【選択図】  図１
2005158876.tif 000002
【特許請求の範囲】
【請求項１】
係合穴を壁面に設けた本体と、
連結部を介して開口部に至る１組の切り溝、およびこの切り溝間に形成され、本体の係合穴へ係止する爪部を有する弾性フックを設けた取付部品とを備え、
取付部品が本体へ取り付けられた状態で弾性フックの後部を押圧すると、連結部が捩れて弾性フックの前部が起き上がり、弾性フックの爪部と本体の係合穴との係合が解除され、取付部品を本体から取り外せるように構成した部品取付構造において、
弾性フックの後部に、湾曲した弾性変形部を設けたことを特徴とする部品取付構造。
【請求項２】
前記弾性フックの後部に湾曲して形成した弾性変形部は、弾性フックの爪部と本体の係合穴とを係合した時に、湾曲した最上部が取付部品の表面よりも突出しないように構成したことを特徴とする請求項１記載の部品取付構造。
【発明の詳細な説明】
【技術分野】
【０００１】
本発明は、電子機器などにおいて、取付部品を本体へ着脱可能に取り付ける部品取付構造に関する。
【背景技術】
【０００２】
電子機器などの筐体構造には、フロントパネルを本体へ着脱可能に取り付ける構造のものがある。このような構造の電子機器の筐体では、その多くが製造コスト削減のため、ネジ止めを行なわずにフロントパネルを本体へ取り付けるように構成している。
【０００３】
従来、フロントパネルを本体へ着脱可能に取り付ける方法としては、例えば、図４（ａ）および（ｂ）に示すように、樹脂製のフロントパネル１の各端縁に延設された係合枠２に、弾性フック３を設けるとともに、この弾性フック３に形成した爪部４を本体５に設けた係合穴６へ係止させ、フロントパネル１を本体５へ取り付けていた。
【０００４】
フロントパネル１を本体５から取り外す場合は、フロントパネル１と本体５との隙間（図示しない）からマイナスドライバの先端等を差し込んで弾性フック３を押し上げる。これにより、弾性フック３の爪部４は、本体５の係合穴６から外れ、フロントパネル１を本体５から取り外すことができる。
【０００５】
さらに、別の従来の取付構造としては、取付部品のフロントパネルに、コ字状溝と、連結部を経てコ字状溝の溝先端に臨む１組の切り溝、および本体に設けた爪部を係合する穴を有するラッチ板を設けたものがある（例えば、特許文献１参照）。
【０００６】
このように構成した従来の取付構造において、フロントパネルを本体から取り外す場合は、ラッチ板の前端部分をマイナスドライバの先端等を用いて押し下げると、連結部（ヒンジ部）が捩れ、ラッチ板の後端部分が起き上がって、ラッチ板に設けた係合穴から本体に設けた爪部が外れ、フロントパネルを本体から取り外すことができるように構成していた。
【特許文献１】特開平１１−２６１２５３号公報（第２―４頁、第５図）
【発明の開示】
【発明が解決しようとする課題】
【０００７】
上述した従来の部品取付構造にあっては、取付部品のフロントパネルを本体から取り外す場合、弾性フックの爪部を押し上げ、その爪部と本体側の係合穴との係合を解除する、あるいは、ラッチ板の後部を押し下げ、ラッチ板に設けたの係合穴と本体に設けた爪部との係合を解除する必要があった。
【０００８】
この爪部の押し上げ操作による係合の解除、あるいは、ラッチ板の押し下げ操作による係合の解除の状態は、取付部品を本体から取り外す以前に中止すると、再び係合状態に復帰してしまうため、取付部品を完全に取り外すまで、係合解除の状態を保持する必要があった。
【０００９】
従来の部品取付構造は、上記のような取付部品と本体との係合解除の方法を採るため、特に、上述した部品取付構造を取付部品の複数箇所へ設けた場合は、複数ある係合箇所の係合解除の状態を同時に保持する必要があり、このような状態を保持することは非常に困難であり、取り外し作業を効率よく簡単に行なうことができないという問題点があった。
【００１０】
本発明は、従来の部品取付構造が有するこのような問題点に鑑みてなされたものであり、その目的とするところは、取付部品と本体との係合解除の状態を極めて簡単な操作で保持することができ、取付部品の取り外し作業を容易に行なうことができる部品取付構造を提供しようとするものである。
【課題を解決するための手段】
【００１１】
上記の目的を達成するために、本発明の部品取付構造においては、係合穴を壁面に設けた本体と、連結部を介して開口部に至る１組の切り溝、およびこの切り溝間に形成され、本体の係合穴へ係止する爪部を有する弾性フックを設けた取付部品とを備え、取付部品が本体へ取り付けられた状態で弾性フックの後部を押圧すると、連結部が捩れて弾性フックの前部が起き上がり、弾性フックの爪部と本体の係合穴との係合が解除され、取付部品を本体から取り外せるように構成した部品取付構造において、弾性フックの後部に、湾曲した弾性変形部を設けたものである。
【００１２】
また、上記弾性フックの後部に湾曲して形成した弾性変形部は、弾性フックの爪部と本体の係合穴とを係合した時に、湾曲した最上部が取付部品の表面よりも突出しないように構成することが好ましい。
【発明の効果】
【００１３】
本発明の部品取付構造は、以下に記載されたような効果を奏する。
【００１４】
取付部品を本体から取り外す場合は、凸形状に湾曲した弾性変形部を押し下げて凹形状に弾性変形させることにより、連結部が捩れて、弾性フックの前部が起き上がって、弾性フックの爪部と本体に設けた係合穴との係合を容易に解除することができる。
【００１５】
また、この係合解除の状態は、弾性変形部を凹状に弾性変形させた状態を継続させる限り係合解除の状態を保持し続けることができるため、特に、複数箇所に、同じ構造の部品取付構造を設けた場合は、係合解除の状態を全ての箇所の部品取付構造に保持させることができ、取付部品の取り外し操作を効率よく簡単に行なうことができる。
【００１６】
さらに、取付部品を本体へ取り付けた状態にある場合の弾性変形部は、凸形状に湾曲した状態となるため、連結部を支点として弾性フックの前部に対し、弾発力を付勢することができ、弾性フックの爪部と本体の係合穴との係合をより強固なものとすることができる。
【００１７】
また、取付部品を本体へ取り付けた状態にある場合は、湾曲した弾性変形部の最上部が取付部品の表面より突出しないように構成することが可能であるから、取付部品の意匠の見栄えを良くすることができる。
【発明を実施するための最良の形態】
【００１８】
係合穴を壁面に設けた本体と、連結部を介して開口部に至る１組の切り溝、およびこの切り溝間に形成され、本体の係合穴へ係止する爪部を有する弾性フックを設けた取付部品とを備え、取付部品が本体へ取り付けられた状態で弾性フックの後部を押圧すると、連結部が捩れて弾性フックの前部が起き上がり、弾性フックの爪部と本体の係合穴との係合が解除され、取付部品を本体から取り外せるように構成した部品取付構造において、押圧操作にもとづき、凸形状または凹形状に湾曲して変形する弾性変形部を弾性フックの後部に設ける。
【実施例１】
【００１９】
図１および図２（ａ）および（ｂ）にもとづき、本発明に係る部品取付構造の第１の実施例を電子機器のフロントパネルの取付構造へ実施した場合について説明する。図１は、第１の実施例を示す要部を拡大した斜視図、図２（ａ）および（ｂ）は、第１の実施例におけるフロントパネルの取り付け、および取り外し動作を示す説明図である。
【００２０】
図１において、１１は電子機器の本体であって、その壁面１２に係合穴１３を設けている。１４は本体１１の前面に取り付けられるフロントパネルであって、各端縁において直行するように延設された係合枠１５を設けている。この係合枠１５には、連結部１６を介して開口部１７に至る１組の切り溝１８を設けている。さらに、この係合枠１５に設けた１組の切り溝１８間に、弾性フック１９を設けている。
【００２１】
弾性フック１９の前部には、本体１１の係合穴１３に係合する爪部２０を形成するとともに、弾性フック１９の後部には、湾曲した弾性変形部２１を形成している。この弾性変形部２１は、図２（ａ）で示すように、フロントパネル１４が本体１１に取り付けた状態、即ち、弾性フック１９の爪部２０が本体１１の係合穴１３へ係合している状態にある時は、湾曲の向きが上向きの凸形状となるように構成している。
【００２２】
また、弾性変形部２１の凸形状の湾曲部分を押し下げ操作した時、図２（ｂ）に示すように、凹形状に弾性変形するように構成している。この弾性変形部２１の凹形状への弾性変形は、押し下げ操作を終了しても、その凹形状の状態は保持される。
【００２３】
このように、弾性変形部２１の湾曲した部分が凹形状に弾性変形した時、弾性フック１９の爪部２０を設けた前部は、弾性変形部２１の凸形状から凹形状への弾性変形動作にともない、連結部１６が捩れて、図２（ｂ）に示すように、起き上がり、弾性フック１９の爪部２０と本体１１の係合穴１３との係合状態を解除することができ、フロントパネル１４を本体１１から簡単に取り外すことができる。
【００２４】
また、この係合解除の状態は、弾性変形部２１を凹状に弾性変形させた状態を継続させる限り係合解除の状態を保持し続けることができるため、特に、複数箇所に、同じ構造の取付構造を設けた場合は、係合解除の状態を全ての箇所の取付構造に保持させることができ、フロントパネル１４の取り外し操作を効率よく簡単に行なうことができる。
【００２５】
さらに、図２（ａ）に示すように、フロントパネル１４を本体１１へ取り付けた状態にある場合の弾性変形部２１は、凸形状に湾曲した状態となるため、連結部１６を支点として弾性フック１９の前部に対し、その弾発力を付勢することができ、弾性フック１９の爪部２０と本体１１の係合穴１３との係合をより強固なものとすることができる。
【実施例２】
【００２６】
図３（ａ）および（ｂ）にもとづき、本発明に係る部品取付構造の第２の実施例を電子機器のフロントパネルの取付構造へ実施した場合について説明する。図３（ａ）および（ｂ）は、フロントパネルの取り付けおよび取り外し動作を示す説明図である。なお、上述した第１の実施例と同一部分には同一符号を付し、その共通する箇所の詳細な説明は重複するため省略する。
【００２７】
この第２の実施例の特長とするところは、図３（ａ）に示すように、取付部品のフロントパネル１４を本体１１に取り付けた場合、即ち、弾性フック１９の爪部２０が本体１１の係合穴１３へ係合した状態にある時は、湾曲した弾性変形部２１の最上部２１１がフロントパネル１４の係合枠１５の表面１５１よりも突出しないように構成したことにある。
【００２８】
弾性変形部２１の最上部２１１が係合部１５の表面１５１よりも突出しないようにするための方法としては、弾性フック１９の基部１９１を係合枠１５の肉厚部分の下端１５２側に設けて、係合枠１５の肉厚ｈ内に弾性フック１９を構成する部分が収まるように設けている。
【００２９】
このように、フロントパネル１４を本体１１へ取り付けた状態にある場合は、湾曲した弾性変形部２１の最上部２１１が係合枠１５の表面１５１より突出しないように構成することができるから、フロントパネル１４の意匠の見栄えを良くすることができる。
【００３０】
また、この第２の実施例において、図３（ａ）で示すように、フロントパネル１４を本体１１へ取り付ける場合、および図３（ｂ）で示すように、フロントパネル１４を本体１１から取り外す場合の操作方法は、上述した第１の実施例の場合と全く同一であり、同様の効果を得ることができる。
【図面の簡単な説明】
【００３１】
【図１】本発明に係る部品取付構造の第１の実施例を示す要部を拡大した斜視図である。
【図２】図１の第１の実施例におけるフロントパネルの取り付けおよび取り外し動作を示す説明図である。
【図３】本発明に係る部品取付構造の第２の実施例を示す説明図である。
【図４】従来のパネル取付構造を示す斜視図である。
【符号の説明】
【００３２】
１１      本体
１２      壁面
１３      係合穴
１４      フロントパネル
１５      係合枠
１６      連結部
１７      開口部
１８      切り溝
１９      弾性フック
２０      爪部
２１      弾性変形部
【図１】
2005158876.tif 000003
【図２】
2005158876.tif 000004
【図３】
2005158876.tif 000005
【図４】
2005158876.tif 000006